(57)【要約】【課題】製造コストを低減し得るフィルタ素子を提供する。【解決手段】絶縁体２１ａの半領域Ａ１および半領域Ａ２に信号用導電体２２ａ，２２ｂおよび信号用導電体２３ａ，２３ｂをそれぞれ並設した信号用帯状体１１と、絶縁体２１ｂの半領域Ｂ１および半領域Ｂ２に接地用導電体２４ａ，２４ｂおよび接地用導電体２５ａ，２５ｂをそれぞれ並設した接地用帯状体１２とを重ね合わせて筒状に巻回したコイル部を備え、接地用帯状体１２は、筒状に巻回したときの巻初め側において接地用導電体２４ａが接地用導電体２４ｂよりも短くなるように形成されると共に、巻初め側において接地用導電体２５ｂが接地用導電体２５ａよりも短くなるように形成されている。【選択図】図４
2007104477.tif 000002
【特許請求の範囲】
【請求項１】
帯状の絶縁体の一面において当該絶縁体の幅方向で互いに離間させた状態でｎ（ｎは２以上の自然数）本の帯状の信号用導電体を並設した信号用帯状体と、帯状の絶縁体の一面において当該絶縁体の幅方向で互いに離間させた状態でｎ本の帯状の接地用導電体を並設した接地用帯状体とを重ね合わせて筒状に巻回したコイル部を備え、
前記信号用帯状体は、前記各信号用導電体のうちの一つにおける前記筒状に巻回したときの巻終わり側に位置する所定部位に入力線が接続されると共に、前記入力線が接続される信号用導電体を除く他の前記信号用導電体のうちの一つにおける前記筒状に巻回したときの巻初め側に位置する所定部位に出力線が接続され、かつ前記入力線が接続される信号用導電体を除く他のすべての前記信号用導電体における前記巻終わり側に位置する各々の所定部位と前記出力線が接続される信号用導電体を除く他のすべての前記信号用導電体における前記巻初め側に位置する各々の所定部位とが接続線によってそれぞれ一対一で接続されることですべての前記信号用導電体が直列に接続されて構成され、
前記接地用帯状体は、前記各接地用導電体のうちの一つにおける前記巻終わり側に位置する所定部位に接地線が接続されると共に、前記接地線が接続される接地用導電体を除く他の前記接地用導電体のうちの所定の一つが当該所定の一つを除く他の前記接地用導電体よりも前記巻初め側において短くなるように形成され、かつ前記接地線が接続される接地用導電体を除く他のすべての前記接地用導電体における前記巻終わり側に位置する各々の所定部位と前記所定の一つを除く他のすべての前記接地用導電体における前記巻初め側に位置する各々の所定部位とが接続線によってそれぞれ一対一で接続されることですべての前記接地用導電体が直列に接続されて構成されているフィルタ素子。
【請求項２】
帯状の絶縁体の一面において当該絶縁体の幅方向で互いに離間させた状態でｎ（ｎは２以上の自然数）本の帯状の信号用導電体を並設した信号用帯状体と、帯状の絶縁体の一面において当該絶縁体の幅方向で互いに離間させた状態でｎ本の帯状の接地用導電体を並設した接地用帯状体とを重ね合わせて筒状に巻回したコイル部を備え、
前記信号用帯状体は、前記各信号用導電体のうちの一つにおける前記筒状に巻回したときの巻終わり側に位置する所定部位に入力線が接続されると共に、前記入力線が接続される信号用導電体を除く他の前記信号用導電体のうちの一つにおける前記筒状に巻回したときの巻初め側に位置する所定部位に出力線が接続され、かつ前記入力線が接続される信号用導電体を除く他のすべての前記信号用導電体における前記巻終わり側に位置する各々の所定部位と前記出力線が接続される信号用導電体を除く他のすべての前記信号用導電体における前記巻初め側に位置する各々の所定部位とが接続線によってそれぞれ一対一で接続されることですべての前記信号用導電体が直列に接続されて構成され、
前記接地用帯状体は、前記各接地用導電体のうちの一つにおける前記巻終わり側に位置する所定部位に接地線が接続されると共に、前記接地線が接続される接地用導電体を除く他のすべての前記接地用導電体における前記巻終わり側に位置する各々の所定部位と当該接地線が接続される接地用導電体を含む（ｎ−１）本の前記接地用導電体における前記巻初め側に位置する各々の所定部位とが接続線によってそれぞれ一対一で接続されることですべての前記接地用導電体が直列に接続され、かつ前記巻始め側において前記信号用帯状体よりも短くなるように形成されて構成されているフィルタ素子。
【請求項３】
帯状の絶縁体の一面における幅方向に沿った一方の領域において当該絶縁体の幅方向で互いに離間させてｎ（ｎは２以上の自然数）本の帯状の第１信号用導電体を並設すると共に当該一面における幅方向に沿った他方の領域において当該絶縁体の幅方向で互いに離間させてｎ本の帯状の第２信号用導電体を並設した信号用帯状体と、帯状の絶縁体の一面における幅方向に沿った一方の領域において当該絶縁体の幅方向で互いに離間させてｎ本の帯状の第１接地用導電体を並設すると共に当該一面における幅方向に沿った他方の領域において当該絶縁体の幅方向で互いに離間させてｎ本の帯状の第２接地用導電体を並設した接地用帯状体とを重ね合わせて筒状に巻回したコイル部を備え、
前記信号用帯状体は、前記各第１信号用導電体のうちの一つにおける前記筒状に巻回したときの巻終わり側に位置する所定部位に第１入力線が接続されると共に、前記第１入力線が接続される第１信号用導電体を除く他の前記第１信号用導電体のうちの一つにおける前記筒状に巻回したときの巻初め側に位置する所定部位に第１出力線が接続され、かつ前記第１入力線が接続される第１信号用導電体を除く他のすべての前記第１信号用導電体における前記巻終わり側に位置する各々の所定部位と前記第１出力線が接続される第１信号用導電体を除く他のすべての前記第１信号用導電体における前記巻初め側に位置する各々の所定部位とが接続線によってそれぞれ一対一で接続されることですべての前記第１信号用導電体が直列に接続されて構成され、前記各第２信号用導電体のうちの一つにおける前記巻終わり側に位置する所定部位に第２入力線が接続されると共に、前記第２入力線が接続される第２信号用導電体を除く他の前記第２信号用導電体のうちの一つにおける前記巻初め側に位置する所定部位に第２出力線が接続され、かつ前記第２入力線が接続される第２信号用導電体を除く他のすべての前記第２信号用導電体における前記巻終わり側に位置する各々の所定部位と前記第２出力線が接続される第２信号用導電体を除く他のすべての前記第２信号用導電体における前記巻初め側に位置する各々の所定部位とが接続線によってそれぞれ一対一で接続されることですべての前記第２信号用導電体が直列に接続されて構成され、
前記接地用帯状体は、前記各第１接地用導電体のうちの一つにおける前記巻終わり側に位置する所定部位に第１接地線が接続されると共に、前記第１接地線が接続される第１接地用導電体を除く他の前記第１接地用導電体のうちの所定の一つが当該所定の一つを除く他の前記第１接地用導電体よりも前記巻初め側において短くなるように形成され、かつ前記第１接地線が接続される第１接地用導電体を除く他のすべての前記第１接地用導電体における前記巻終わり側に位置する各々の所定部位と前記所定の一つを除く他のすべての前記第１接地用導電体における前記巻初め側に位置する各々の所定部位とが接続線によってそれぞれ一対一で接続されることですべての前記第１接地用導電体が直列に接続され、前記各第２接地用導電体のうちの一つにおける前記巻終わり側に位置する所定部位に第２接地線が接続されると共に、前記第２接地線が接続される第２接地用導電体を除く他の前記第２接地用導電体のうちの所定の一つが当該所定の一つを除く他の前記第２接地用導電体よりも前記巻初め側において短くなるように形成され、かつ前記第２接地線が接続される第２接地用導電体を除く他のすべての前記第２接地用導電体における前記巻終わり側に位置する各々の所定部位と前記所定の一つを除く他のすべての前記第２接地用導電体における前記巻初め側に位置する各々の所定部位とが接続線によってそれぞれ一対一で接続されることですべての前記第２接地用導電体が直列に接続されて構成されているフィルタ素子。
【請求項４】
帯状の絶縁体の一面における幅方向に沿った一方の領域において当該絶縁体の幅方向で互いに離間させてｎ（ｎは２以上の自然数）本の帯状の第１信号用導電体を並設すると共に当該一面における幅方向に沿った他方の領域において当該絶縁体の幅方向で互いに離間させてｎ本の帯状の第２信号用導電体を並設した信号用帯状体と、帯状の絶縁体の一面における幅方向に沿った一方の領域において当該絶縁体の幅方向で互いに離間させてｎ本の帯状の第１接地用導電体を並設すると共に当該一面における幅方向に沿った他方の領域において当該絶縁体の幅方向で互いに離間させてｎ本の帯状の第２接地用導電体を並設した接地用帯状体とを重ね合わせて筒状に巻回したコイル部を備え、
前記信号用帯状体は、前記各第１信号用導電体のうちの一つにおける前記筒状に巻回したときの巻終わり側に位置する所定部位に第１入力線が接続されると共に、前記第１入力線が接続される第１信号用導電体を除く他の前記第１信号用導電体のうちの一つにおける前記筒状に巻回したときの巻初め側に位置する所定部位に第１出力線が接続され、かつ前記第１入力線が接続される第１信号用導電体を除く他のすべての前記第１信号用導電体における前記巻終わり側に位置する各々の所定部位と前記第１出力線が接続される第１信号用導電体を除く他のすべての前記第１信号用導電体における前記巻初め側に位置する各々の所定部位とが接続線によってそれぞれ一対一で接続されることですべての前記第１信号用導電体が直列に接続され、前記各第２信号用導電体のうちの一つにおける前記巻終わり側に位置する所定部位に第２入力線が接続されると共に、前記第２入力線が接続される第２信号用導電体を除く他の前記第２信号用導電体のうちの一つにおける前記巻初め側に位置する所定部位に第２出力線が接続され、かつ前記第２入力線が接続される第２信号用導電体を除く他のすべての前記第２信号用導電体における前記巻終わり側に位置する各々の所定部位と前記第２出力線が接続される第２信号用導電体を除く他のすべての前記第２信号用導電体における前記巻初め側に位置する各々の所定部位とが接続線によってそれぞれ一対一で接続されることですべての前記第２信号用導電体が直列に接続されて構成され、
前記接地用帯状体は、前記各第１接地用導電体のうちの一つにおける前記巻終わり側に位置する所定部位に第１接地線が接続されると共に、前記第１接地線が接続される第１接地用導電体を除く他のすべての前記第１接地用導電体における前記巻終わり側に位置する各々の所定部位と当該第１接地線が接続される第１接地用導電体を含む（ｎ−１）本の前記第１接地用導電体における前記巻初め側に位置する各々の所定部位とが接続線によってそれぞれ一対一で接続されることですべての前記第１接地用導電体が直列に接続され、前記各第２接地用導電体のうちの一つにおける前記巻終わり側に位置する所定部位に第２接地線が接続されると共に、前記第２接地線が接続される第２接地用導電体を除く他のすべての前記第２接地用導電体における前記巻終わり側に位置する各々の所定部位と当該第２接地線が接続される第２接地用導電体を含む（ｎ−１）本の前記第２接地用導電体における前記巻初め側に位置する各々の所定部位とが接続線によってそれぞれ一対一で接続されることですべての前記第２接地用導電体が直列に接続され、かつ前記巻始め側において前記信号用帯状体よりも短くなるように形成されて構成されているフィルタ素子。
【発明の詳細な説明】
【技術分野】
【０００１】
本発明は、帯状絶縁体の一面において信号用導電体を並設した信号用帯状体と、帯状絶縁体の一面において接地用導電体を並設した接地用帯状体とを重ね合わせた状態で巻回して構成したフィルタ素子に関するものである。
【背景技術】
【０００２】
この種のフィルタ素子として、特開２００５−１８４７２４号公報において出願人が開示したフィルタ素子が知られている。このフィルタ素子は、入力端子、出力端子、接地用端子、コイル部、磁性体、引出線および配線を備えて、分布定数型の５端子型ノイズフィルタ（低域通過型のコモンモードフィルタ）に構成されている。この場合、コイル部は、例えば、同じ幅に形成された２つの帯状絶縁体、２×ｎ（ｎは２以上の自然数）本の接地用帯状導電体、および接地用帯状導電体と同数の信号用帯状導電体を備えて構成され、これらを重ね合わせた状態で巻回することにより、全体として筒状に形成されている。また、このフィルタ素子では、入力端子と出力端子との間において、複数（例えば２本）の信号用帯状導電体が引出線および配線を介して帯状絶縁体の長手方向に沿って折り返した状態で直列接続されている。したがって、入力端子と各出力端子との間に信号用帯状導電体を１本だけ配設した構成と比較して、同等の直径でありながら、信号用帯状導電体の巻回数が実質的に２倍となる結果、入力端子と各出力端子との間における信号用帯状導電体のインダクタンスを４倍に増加させることが可能となっている。
【特許文献１】特開２００５−１８４７２４号公報（第１１−１４頁、第１−４図）
【発明の開示】
【発明が解決しようとする課題】
【０００３】
ところが、上記のフィルタ素子には、改善すべき以下の課題がある。すなわち、この種のフィルタ素子では、信号用帯状導電体、接地用帯状導電体および帯状絶縁体の巻数（長さ）に応じてインダクタンスおよびキャパシタンスの両者が共に増減する。このため、例えば、インダクタンスが同じでキャパシタンス（分布容量）だけが互いに異なる複数種類のフィルタ素子を製造する際には、キャパシタンスだけを異ならせるために、フィルタ素子の種類（キャパシタンスの値）毎に材質や厚みの異なる絶縁体および材質や幅の異なる導電体を用いてこれらの複数種類のフィルタ素子を製造している。したがって、このフィルタ素子には、例えば、キャパシタンスだけが互いに異なるものを複数種類製造するときには、絶縁体や導電体を複数種類用いる分、製造コストの低減が困難であるという課題が存在する。
【０００４】
本発明は、かかる課題に鑑みてなされたものであり、製造コストを低減し得るフィルタ素子を提供することを主目的とする。
【課題を解決するための手段】
【０００５】
上記目的を達成すべく請求項１記載のフィルタ素子は、帯状の絶縁体の一面において当該絶縁体の幅方向で互いに離間させた状態でｎ（ｎは２以上の自然数）本の帯状の信号用導電体を並設した信号用帯状体と、帯状の絶縁体の一面において当該絶縁体の幅方向で互いに離間させた状態でｎ本の帯状の接地用導電体を並設した接地用帯状体とを重ね合わせて筒状に巻回したコイル部を備え、前記信号用帯状体は、前記各信号用導電体のうちの一つにおける前記筒状に巻回したときの巻終わり側に位置する所定部位に入力線が接続されると共に、前記入力線が接続される信号用導電体を除く他の前記信号用導電体のうちの一つにおける前記筒状に巻回したときの巻初め側に位置する所定部位に出力線が接続され、かつ前記入力線が接続される信号用導電体を除く他のすべての前記信号用導電体における前記巻終わり側に位置する各々の所定部位と前記出力線が接続される信号用導電体を除く他のすべての前記信号用導電体における前記巻初め側に位置する各々の所定部位とが接続線によってそれぞれ一対一で接続されることですべての前記信号用導電体が直列に接続されて構成され、前記接地用帯状体は、前記各接地用導電体のうちの一つにおける前記巻終わり側に位置する所定部位に接地線が接続されると共に、前記接地線が接続される接地用導電体を除く他の前記接地用導電体のうちの所定の一つが当該所定の一つを除く他の前記接地用導電体よりも前記巻初め側において短くなるように形成され、かつ前記接地線が接続される接地用導電体を除く他のすべての前記接地用導電体における前記巻終わり側に位置する各々の所定部位と前記所定の一つを除く他のすべての前記接地用導電体における前記巻初め側に位置する各々の所定部位とが接続線によってそれぞれ一対一で接続されることですべての前記接地用導電体が直列に接続されて構成されている。ここで、本明細書における「帯状の導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。
【０００６】
また、請求項２記載のフィルタ素子は、帯状の絶縁体の一面において当該絶縁体の幅方向で互いに離間させた状態でｎ（ｎは２以上の自然数）本の帯状の信号用導電体を並設した信号用帯状体と、帯状の絶縁体の一面において当該絶縁体の幅方向で互いに離間させた状態でｎ本の帯状の接地用導電体を並設した接地用帯状体とを重ね合わせて筒状に巻回したコイル部を備え、前記信号用帯状体は、前記各信号用導電体のうちの一つにおける前記筒状に巻回したときの巻終わり側に位置する所定部位に入力線が接続されると共に、前記入力線が接続される信号用導電体を除く他の前記信号用導電体のうちの一つにおける前記筒状に巻回したときの巻初め側に位置する所定部位に出力線が接続され、かつ前記入力線が接続される信号用導電体を除く他のすべての前記信号用導電体における前記巻終わり側に位置する各々の所定部位と前記出力線が接続される信号用導電体を除く他のすべての前記信号用導電体における前記巻初め側に位置する各々の所定部位とが接続線によってそれぞれ一対一で接続されることですべての前記信号用導電体が直列に接続されて構成され、前記接地用帯状体は、前記各接地用導電体のうちの一つにおける前記巻終わり側に位置する所定部位に接地線が接続されると共に、前記接地線が接続される接地用導電体を除く他のすべての前記接地用導電体における前記巻終わり側に位置する各々の所定部位と当該接地線が接続される接地用導電体を含む（ｎ−１）本の前記接地用導電体における前記巻初め側に位置する各々の所定部位とが接続線によってそれぞれ一対一で接続されることですべての前記接地用導電体が直列に接続され、かつ前記巻始め側において前記信号用帯状体よりも短くなるように形成されて構成されている。
【０００７】
また、請求項３記載のフィルタ素子は、帯状の絶縁体の一面における幅方向に沿った一方の領域において当該絶縁体の幅方向で互いに離間させてｎ（ｎは２以上の自然数）本の帯状の第１信号用導電体を並設すると共に当該一面における幅方向に沿った他方の領域において当該絶縁体の幅方向で互いに離間させてｎ本の帯状の第２信号用導電体を並設した信号用帯状体と、帯状の絶縁体の一面における幅方向に沿った一方の領域において当該絶縁体の幅方向で互いに離間させてｎ本の帯状の第１接地用導電体を並設すると共に当該一面における幅方向に沿った他方の領域において当該絶縁体の幅方向で互いに離間させてｎ本の帯状の第２接地用導電体を並設した接地用帯状体とを重ね合わせて筒状に巻回したコイル部を備え、前記信号用帯状体は、前記各第１信号用導電体のうちの一つにおける前記筒状に巻回したときの巻終わり側に位置する所定部位に第１入力線が接続されると共に、前記第１入力線が接続される第１信号用導電体を除く他の前記第１信号用導電体のうちの一つにおける前記筒状に巻回したときの巻初め側に位置する所定部位に第１出力線が接続され、かつ前記第１入力線が接続される第１信号用導電体を除く他のすべての前記第１信号用導電体における前記巻終わり側に位置する各々の所定部位と前記第１出力線が接続される第１信号用導電体を除く他のすべての前記第１信号用導電体における前記巻初め側に位置する各々の所定部位とが接続線によってそれぞれ一対一で接続されることですべての前記第１信号用導電体が直列に接続されて構成され、前記各第２信号用導電体のうちの一つにおける前記巻終わり側に位置する所定部位に第２入力線が接続されると共に、前記第２入力線が接続される第２信号用導電体を除く他の前記第２信号用導電体のうちの一つにおける前記巻初め側に位置する所定部位に第２出力線が接続され、かつ前記第２入力線が接続される第２信号用導電体を除く他のすべての前記第２信号用導電体における前記巻終わり側に位置する各々の所定部位と前記第２出力線が接続される第２信号用導電体を除く他のすべての前記第２信号用導電体における前記巻初め側に位置する各々の所定部位とが接続線によってそれぞれ一対一で接続されることですべての前記第２信号用導電体が直列に接続されて構成され、前記接地用帯状体は、前記各第１接地用導電体のうちの一つにおける前記巻終わり側に位置する所定部位に第１接地線が接続されると共に、前記第１接地線が接続される第１接地用導電体を除く他の前記第１接地用導電体のうちの所定の一つが当該所定の一つを除く他の前記第１接地用導電体よりも前記巻初め側において短くなるように形成され、かつ前記第１接地線が接続される第１接地用導電体を除く他のすべての前記第１接地用導電体における前記巻終わり側に位置する各々の所定部位と前記所定の一つを除く他のすべての前記第１接地用導電体における前記巻初め側に位置する各々の所定部位とが接続線によってそれぞれ一対一で接続されることですべての前記第１接地用導電体が直列に接続され、前記各第２接地用導電体のうちの一つにおける前記巻終わり側に位置する所定部位に第２接地線が接続されると共に、前記第２接地線が接続される第２接地用導電体を除く他の前記第２接地用導電体のうちの所定の一つが当該所定の一つを除く他の前記第２接地用導電体よりも前記巻初め側において短くなるように形成され、かつ前記第２接地線が接続される第２接地用導電体を除く他のすべての前記第２接地用導電体における前記巻終わり側に位置する各々の所定部位と前記所定の一つを除く他のすべての前記第２接地用導電体における前記巻初め側に位置する各々の所定部位とが接続線によってそれぞれ一対一で接続されることですべての前記第２接地用導電体が直列に接続されて構成されている。
【０００８】
また、請求項４記載のフィルタ素子は、帯状の絶縁体の一面における幅方向に沿った一方の領域において当該絶縁体の幅方向で互いに離間させてｎ（ｎは２以上の自然数）本の帯状の第１信号用導電体を並設すると共に当該一面における幅方向に沿った他方の領域において当該絶縁体の幅方向で互いに離間させてｎ本の帯状の第２信号用導電体を並設した信号用帯状体と、帯状の絶縁体の一面における幅方向に沿った一方の領域において当該絶縁体の幅方向で互いに離間させてｎ本の帯状の第１接地用導電体を並設すると共に当該一面における幅方向に沿った他方の領域において当該絶縁体の幅方向で互いに離間させてｎ本の帯状の第２接地用導電体を並設した接地用帯状体とを重ね合わせて筒状に巻回したコイル部を備え、前記信号用帯状体は、前記各第１信号用導電体のうちの一つにおける前記筒状に巻回したときの巻終わり側に位置する所定部位に第１入力線が接続されると共に、前記第１入力線が接続される第１信号用導電体を除く他の前記第１信号用導電体のうちの一つにおける前記筒状に巻回したときの巻初め側に位置する所定部位に第１出力線が接続され、かつ前記第１入力線が接続される第１信号用導電体を除く他のすべての前記第１信号用導電体における前記巻終わり側に位置する各々の所定部位と前記第１出力線が接続される第１信号用導電体を除く他のすべての前記第１信号用導電体における前記巻初め側に位置する各々の所定部位とが接続線によってそれぞれ一対一で接続されることですべての前記第１信号用導電体が直列に接続され、前記各第２信号用導電体のうちの一つにおける前記巻終わり側に位置する所定部位に第２入力線が接続されると共に、前記第２入力線が接続される第２信号用導電体を除く他の前記第２信号用導電体のうちの一つにおける前記巻初め側に位置する所定部位に第２出力線が接続され、かつ前記第２入力線が接続される第２信号用導電体を除く他のすべての前記第２信号用導電体における前記巻終わり側に位置する各々の所定部位と前記第２出力線が接続される第２信号用導電体を除く他のすべての前記第２信号用導電体における前記巻初め側に位置する各々の所定部位とが接続線によってそれぞれ一対一で接続されることですべての前記第２信号用導電体が直列に接続されて構成され、前記接地用帯状体は、前記各第１接地用導電体のうちの一つにおける前記巻終わり側に位置する所定部位に第１接地線が接続されると共に、前記第１接地線が接続される第１接地用導電体を除く他のすべての前記第１接地用導電体における前記巻終わり側に位置する各々の所定部位と当該第１接地線が接続される第１接地用導電体を含む（ｎ−１）本の前記第１接地用導電体における前記巻初め側に位置する各々の所定部位とが接続線によってそれぞれ一対一で接続されることですべての前記第１接地用導電体が直列に接続され、前記各第２接地用導電体のうちの一つにおける前記巻終わり側に位置する所定部位に第２接地線が接続されると共に、前記第２接地線が接続される第２接地用導電体を除く他のすべての前記第２接地用導電体における前記巻終わり側に位置する各々の所定部位と当該第２接地線が接続される第２接地用導電体を含む（ｎ−１）本の前記第２接地用導電体における前記巻初め側に位置する各々の所定部位とが接続線によってそれぞれ一対一で接続されることですべての前記第２接地用導電体が直列に接続され、かつ前記巻始め側において前記信号用帯状体よりも短くなるように形成されて構成されている。
【発明の効果】
【０００９】
請求項１記載のフィルタ素子によれば、接地線が接続される接地用導電体を除く他の接地用導電体のうちの所定の一つをその所定の一つを除く他の接地用導電体よりも巻初め側において短くなるように形成したことにより、例えば、インダクタンスが同じでキャパシタンスだけが互いに異なる複数種類のフィルタ素子を製造する際に、各フィルタ素子におけるキャパシタンスに合わせて、所定の一つの接地用導電体の長さを他の接地用導電体の長さよりも短くなるように規定することで、その所定の一つの接地用導電体を除く他の構成要素をそのまま共通で用いて各フィルタ素子を製造することができる。したがって、このフィルタ素子によれば、それらを共通化できる分、製造コストを十分に低減することができる。
【００１０】
また、請求項２記載のフィルタ素子によれば、巻始め側において信号用帯状体よりも短くなるように接地用帯状体を形成したことにより、例えば、インダクタンスが同じでキャパシタンスだけが互いに異なる複数種類のフィルタ素子を製造する際に、各フィルタ素子におけるキャパシタンスに合わせて、接地用帯状体の長さを信号用帯状体の長さよりも短くなるように規定することで、信号用帯状体をそのまま共通で用いて各フィルタ素子を製造することができる。したがって、このフィルタ素子によれば、信号用帯状体を共通化できる分、製造コストを十分に低減することができる。また、このフィルタ素子によれば、接地用帯状体を短くする分、信号用帯状体を長く規定することで、信号用帯状体および接地用帯状体の合計のターン数を変更することなく、つまり、大径化（大型化）を回避しつつ、低周波数帯域において特に優れたノイズ減衰特性を実現することができる。
【００１１】
また、請求項３記載のフィルタ素子によれば、第１接地線が接続される第１接地用導電体を除く他の第１接地用導電体のうちの所定の一つをその所定の一つを除く他の第１接地用導電体よりも巻初め側において短くなるように形成すると共に、第２接地線が接続される第２接地用導電体を除く他の第２接地用導電体のうちの所定の一つをその所定の一つを除く他の第２接地用導電体よりも巻初め側において短くなるように形成したことにより、例えば、インダクタンスが同じでキャパシタンスだけが互いに異なる複数種類のフィルタ素子を製造する際に、各フィルタ素子におけるキャパシタンスに合わせて、所定の一つの第１接地用導電体および所定の一つの第２接地用導電体の長さを他の第１接地用導電体の長さおよび他の第２接地用導電体の長さよりもそれぞれ短くなるように規定することで、その所定の一つの第１接地用導電体およびその所定の一つの第２接地用導電体を除く他の構成要素をそのまま共通で用いて各フィルタ素子を製造することができる。したがって、このフィルタ素子によれば、それらを共通化できる分、製造コストを十分に低減することができる。
【００１２】
さらに、請求項４記載のフィルタ素子によれば、第１接地用導電体および第２接地用導電体が並設された接地用帯状体を巻始め側において信号用帯状体よりも短くなるように形成したことにより、例えば、インダクタンスが同じでキャパシタンスだけが互いに異なる複数種類のフィルタ素子を製造する際に、各フィルタ素子におけるキャパシタンスに合わせて、接地用帯状体の長さを信号用帯状体の長さよりも短くなるように規定することで、信号用帯状体をそのまま共通で用いて各フィルタ素子を製造することができる。したがって、このフィルタ素子によれば、信号用帯状体を共通化できる分、製造コストを十分に低減することができる。また、このフィルタ素子によれば、接地用帯状体を短くする分、信号用帯状体を長く規定することで、信号用帯状体および接地用帯状体の合計のターン数を変更することなく、つまり、大径化（大型化）を回避しつつ、低周波数帯域において特に優れたノイズ減衰特性を実現することができる。
【発明を実施するための最良の形態】
【００１３】
以下、本発明に係るフィルタ素子について、添付図面を参照して説明する。  
【００１４】
最初に、フィルタ素子１について、図面を参照して説明する。
【００１５】
フィルタ素子１は、図１に示すように、コイル部２と、柱状（一例として円柱状）の磁性体で構成されると共にコイル部２の空隙Ｈ内に装着された磁性コア３とを備え、分布定数型の５端子型ノイズフィルタ（低域通過型のコモンモードフィルタ）に構成されている。コイル部２は、図３に示すように、信号用帯状体１１および接地用帯状体１２を備えて構成されている。また、コイル部２は、一例として、同図に示すように、接地用帯状体１２の上に信号用帯状体１１を重ね合わせた状態で巻回することにより、図１に示すように、中心部に空隙Ｈを有する全体として筒状（円筒状）に形成されている。なお、以下の説明において、両帯状体１１，１２を巻回する際に巻き始めとなる両帯状体１１，１２および両帯状体１１，１２の各構成要素の一端側（例えば、図４における右端部側）を「巻初め側」ともいう。また、両帯状体１１，１２を巻回する際に巻き終わりとなる両帯状体１１，１２および両帯状体１１，１２の各構成要素の他端側（例えば、同図における左端部側）を「巻終わり側」ともいう。
【００１６】
信号用帯状体１１は、図４に示すように、絶縁体２１ａ、ｎ（ｎは２以上の自然数で、一例としてｎ＝２）本の信号用導電体２２ａ，２２ｂ（以下、区別しないときは「信号用導電体２２」ともいう）、およびｎ本の信号用導電体２３ａ，２３ｂ（以下、区別しないときは「信号用導電体２３」ともいう）を備えて構成されている。絶縁体２１ａは、一例として、誘電性および電気的絶縁性を有する材料によって所定の長さの帯状に形成されている。信号用導電体２２ａ，２２ｂは、本発明における第１信号用導電体に相当し、一例として、互いに同じ幅でかつ同じ長さの帯状に形成されている。また、信号用導電体２２ａ，２２ｂは、同図に示すように、絶縁体２１ａの一面における幅方向に沿った一方（両図における上側）の半領域（本発明における一方の領域）Ａ１において、絶縁体２１ａの幅方向で互いに離間させた状態で並設されている。信号用導電体２３ａ，２３ｂは、本発明における第２信号用導電体に相当し、一例として、信号用導電体２２ａ，２２ｂと同じ幅でかつ同じ長さに形成されている。また、信号用導電体２３ａ，２３ｂは、絶縁体２１ａの一面における幅方向に沿った他方（両図における下側）の半領域（本発明における他方の領域）Ａ２において、絶縁体２１ａの幅方向で互いに離間させた状態で並設されている。
【００１７】
また、図４に示すように、信号用導電体２２ａ，２２ｂのうちの一つ（例えば、信号用導電体２２ｂ）における巻終わり側（同図における左端部側）に位置する所定部位には、信号用引出線３１ａが接続され、この信号用引出線３１ａには、本発明における第１入力線に相当する入力線３２ａが接続される。また、入力線３２ａが接続される信号用導電体２２（この場合、信号用導電体２２ｂ）を除く他の信号用導電体２２のうちの一つ（この場合、信号用導電体２２ａ）における巻初め側（同図における右端部側）に位置する所定部位には、信号用引出線３１ｂが接続され、この信号用引出線３１ｂには、本発明における第１出力線に相当する出力線３３ａが接続される。また、入力線３２ａが接続される信号用導電体２２（この場合、信号用導電体２２ｂ）を除く他のすべての信号用導電体２２（この場合、信号用導電体２２ａ）における巻終わり側に位置する所定部位（本発明における各々の所定部位の一例）には、信号用引出線３１ｃが接続される。さらに、出力線３３ａが接続される信号用導電体２２（この場合、信号用導電体２２ａ）を除く他のすべての信号用導電体２２（この場合、信号用導電体２２ｂ）における巻初め側に位置する所定部位（本発明における各々の所定部位の一例）には、信号用引出線３１ｄが接続され、この信号用引出線３１ｄと信号用引出線３１ｃとが接続線３４ａによって一対一で接続される。
【００１８】
また、図４に示すように、信号用導電体２３ａ，２３ｂのうちの一つ（例えば、信号用導電体２３ａ）における巻終わり側（同図における左端部側）に位置する所定部位には、信号用引出線３１ｅが接続され、この信号用引出線３１ｅには、本発明における第２入力線に相当する入力線３２ｂ（以下、上記した入力線３２ａと区別しないときには「入力線３２」ともいう）が接続される。また、信号用導電体２３ａ，２３ｂのうちの入力線３２ｂが接続される信号用導電体２３（この場合、信号用導電体２３ａ）を除く他の信号用導電体２３のうちの一つ（この場合、信号用導電体２３ｂ）における巻初め側（同図における右端部側）に位置する所定部位には、信号用引出線３１ｆが接続され、この信号用引出線３１ｆには、本発明における第２出力線に相当する出力線３３ｂ（以下、上記した出力線３３ａと区別しないときには「出力線３３」ともいう）が接続される。また、入力線３２ｂが接続される信号用導電体２３（この場合、信号用導電体２３ａ）を除く他のすべての信号用導電体２３（この場合、信号用導電体２３ｂ）における巻終わり側に位置する所定部位（本発明における各々の所定部位の一例）には、信号用引出線３１ｇが接続される。さらに、出力線３３ｂが接続される信号用導電体２３（この場合、信号用導電体２３ｂ）を除く他のすべての信号用導電体２３（この場合、信号用導電体２３ａ）における巻初め側に位置する所定部位（本発明における各々の所定部位の一例）には、信号用引出線３１ｈが接続され、この信号用引出線３１ｈと信号用引出線３１ｇとが接続線３４ｂによって一対一で接続される。
【００１９】
一方、接地用帯状体１２は、図４に示すように、絶縁体２１ｂ（以下、上記した絶縁体２１ａと区別しないときには「絶縁体２１」ともいう）、ｎ本の接地用導電体２４ａ，２４ｂ（以下、区別しないときは「接地用導電体２４」ともいう）、およびｎ本の接地用導電体２５ａ，２５ｂ（以下、区別しないときは「接地用導電体２５」ともいう）を備えて構成されている。絶縁体２１ｂは、一例として、誘電性および電気的絶縁性を有する材料によって上記した絶縁体２１ａと同じ長さでかつ同じ幅の帯状に形成されている。接地用導電体２４ａ，２４ｂは、本発明における第１接地用導電体に相当し、一例として、信号用帯状体１１と接地用帯状体１２とを重ね合わせたときに、信号用導電体２２ａ，２２ｂにそれぞれ対向するようにして、絶縁体２１ｂの一面における幅方向に沿った一方（両図における上側）の半領域（本発明における一方の領域）Ｂ１において、絶縁体２１ｂの幅方向で互いに離間させた状態で並設されている。
【００２０】
また、図４に示すように、接地用導電体２４ａ，２４ｂのうちの一つ（例えば、接地用導電体２４ｂ）における巻終わり側（同図における左端部側）に位置する所定部位には、接地用引出線３５ａが接続され、この接地用引出線３５ａには、本発明における第１接地線に相当する接地線３６ａが接続される。また、接地線３６ａが接続される接地用導電体２４（この場合、接地用導電体２４ｂ）を除く他の接地用導電体２４のうちの所定の一つの接地用導電体２４（この場合、接地用導電体２４ａ）は、他の接地用導電体２４（この場合、接地用導電体２４ｂ）よりも巻初め側（同図における右端部側）において短くなるように形成されている。また、その所定の一つの接地用導電体２４（この場合、接地用導電体２４ａ）を除く他のすべての接地用導電体２４（この場合、接地用導電体２４ｂ）における巻初め側に位置する所定部位（本発明における各々の所定部位の一例）には、接地用引出線３５ｂが接続される。さらに、接地線３６ａが接続される接地用導電体２４（この場合、接地用導電体２４ｂ）を除く他のすべての接地用導電体２４（この場合、接地用導電体２４ａ）における巻終わり側に位置する所定部位（本発明における各々の所定部位の一例）には、接地用引出線３５ｃが接続され、この接地用引出線３５ｃと接地用引出線３５ｂとが接続線３４ｃによって一対一で接続される。
【００２１】
接地用導電体２５ａ，２５ｂは、本発明における第２接地用導電体に相当し、一例として、信号用帯状体１１と接地用帯状体１２とを重ね合わせたときに、信号用帯状体１１の信号用導電体２３ａ，２３ｂにそれぞれ対向するようにして、絶縁体２１ｂの一面における幅方向に沿った他方（両図における下側）の半領域（本発明における他方の領域）Ｂ２において、絶縁体２１ｂの幅方向で互いに離間させた状態で並設されている。また、図４に示すように、接地用導電体２５ａ，２５ｂのうちの一つ（例えば、接地用導電体２５ａ）における巻終わり側（同図における左端部側）に位置する所定部位には、接地用引出線３５ｄが接続され、この接地用引出線３５ｄには、本発明における第２接地線に相当する接地線３６ｂが接続される。また、接地線３６ｂが接続される接地用導電体２５（この場合、接地用導電体２５ａ）を除く他の接地用導電体２５のうちの所定の一つの接地用導電体２５（この場合、接地用導電体２５ｂ）は、他の接地用導電体２５（この場合、接地用導電体２５ａ）よりも巻初め側（同図における右端部側）において短くなるように形成されている。また、その所定の一つの接地用導電体２５（この場合、接地用導電体２５ｂ）を除く他のすべての接地用導電体２５（この場合、接地用導電体２５ａ）における巻初め側に位置する所定部位（本発明における各々の所定部位の一例）には、接地用引出線３５ｅが接続される。さらに、接地線３６ｂが接続される接地用導電体２５（この場合、接地用導電体２５ａ）を除く他のすべての接地用導電体２５（この場合、接地用導電体２５ｂ）における巻終わり側に位置する所定部位（本発明における各々の所定部位の一例）には、接地用引出線３５ｆが接続され、この接地用引出線３５ｆと接地用引出線３５ｅとが接続線３４ｄによって一対一で接続される。
【００２２】
ここで、信号用導電体２２ａ，２２ｂ，２３ａ，２３ｂにおける信号用引出線３１ａ，３１ｃ，３１ｅ，３１ｇの接続位置は、図２に示すように、コイル部２の中心軸Ｏを通る仮想平面Ｌによって仮想的に区画される２つの区画部位（以下、この２つの区画部位をそれぞれ「半体Ｐ１，Ｐ２」ともいう）の一方（この場合、半体Ｐ１）における外周側部位から信号用引出線３１ａ，３１ｃ，３１ｅ，３１ｇが引き出されるようにそれぞれ規定されている。また、信号用導電体２２ａ，２２ｂ，２３ａ，２３ｂにおける信号用引出線３１ｂ，３１ｄ，３１ｆ，３１ｈの接続位置は、同図に示すように、半体Ｐ１，Ｐ２の他方（この場合、半体Ｐ２）におけるにおける中心側部位（内周側部位）から信号用引出線３１ｂ，３１ｄ，３１ｆ，３１ｈが引き出されるようにそれぞれ規定されている。
【００２３】
さらに、接地用導電体２４ａ，２４ｂ，２５ａ，２５ｂにおける接地用引出線３５ａ，３５ｃ，３５ｄ，３５ｆの接続位置は、半体Ｐ２における外周側部位から接地用引出線３５ａ，３５ｃ，３５ｄ，３５ｆが引き出されるようにそれぞれ規定されている。また、接地用導電体２４ｂ，２５ａにおける接地用引出線３５ｂ，３５ｅの接続位置は、図１に示すように、半体Ｐ２における中心側部位から接地用引出線３５ｂ，３５ｅが引き出されるようにそれぞれ規定されている。なお、本発明における信号用引出線３１ａ〜３１ｈや接地用引出線３５ａ〜３５ｆの「引出し部位」とは、これらの各引出線３１ａ〜３１ｈ，３５ａ〜３５ｆがコイル部２から突出するコイル部２の表面における部位をいう。
【００２４】
また、フィルタ素子１では、以上の構成により、信号用導電体２２ｂ，２２ａが、信号用引出線３１ａと信号用引出線３１ｂとの間において、信号用引出線３１ｄ、接続線３４ａおよび信号用引出線３１ｃを介して絶縁体２１ａの長手方向に沿って折り返した状態で直列に接続される。また、信号用導電体２３ａ，２３ｂが、信号用引出線３１ｅと信号用引出線３１ｆとの間において、信号用引出線３１ｈ、接続線３４ｂおよび信号用引出線３１ｇを介して絶縁体２１ａの長手方向に沿って折り返した状態で直列に接続される。また、接地用導電体２４ａ，２４ｂが、接地用引出線３５ｂ、接続線３４ｃおよび接地用引出線３５ｃを介して絶縁体２１ｂの長手方向に沿って折り返した状態で直列に接続され、接地用導電体２５ａ，２５ｂが、接地用引出線３５ｅ、接続線３４ｄおよび接地用引出線３５ｆを介して絶縁体２１ｂの長手方向に沿って折り返した状態で直列に接続される。
【００２５】
このため、このフィルタ素子１では、信号用導電体２２ａ，２２ｂを流れる電流の向きが同一方向となり、信号用導電体２３ａ，２３ｂを流れる電流の向きが同一方向となっている。したがって、このフィルタ素子１では、入力線と出力線との間に信号用導電体を一つずつ配設した構成と比較して、直径を同等に維持しつつ、信号用導電体２２の巻回数を実質的に２倍とすることが可能なため、信号用導電体２２のインダクタンスを４倍に増加させることが可能となっている。したがって、大径化（大型化）を回避しつつ、優れたノイズ減衰特性を有するコモンモードフィルタとしてのフィルタ素子１を実現することが可能となっている。  
【００２６】
一方、このフィルタ素子１では、例えば、インダクタンスが同じでキャパシタンスだけが互いに異なる複数種類のフィルタ素子１を低コストで製造することが可能となっている。具体的には、各フィルタ素子のうちの、キャパシタンスのうちの最も大きなフィルタ素子（以下、このフィルタ素子を「フィルタ素子１０」ともいう）を製造する際には、フィルタ素子１０のインダクタンスの値に合わせて信号用導電体２２ａ，２２ｂ，２３ａ，２３ｂの長さを規定すると共に、フィルタ素子１０のキャパシタンスに合わせて接地用導電体２４ａ，２４ｂ，２５ａ，２５ｂの長さを規定する。次いで、この信号用導電体２２ａ，２２ｂ，２３ａ，２３ｂを並設した信号用帯状体１１と、この接地用導電体２４ａ，２４ｂ，２５ａ，２５ｂを並設した接地用帯状体１２とを巻回してコイル部２を作製して、フィルタ素子１０を製造する。
【００２７】
一方、フィルタ素子１０よりもキャパシタンスの小さなフィルタ素子１を製造する際には、そのキャパシタンスに合わせて接地用導電体２４ａ，２５ｂの長さを接地用帯状体１２の巻初め側において接地用導電体２４ｂ，２５ａよりも短くなるように規定する。次いで、フィルタ素子１０に用いた信号用帯状体１１と、この接地用導電体２４ａ，２４ｂ，２５ａ，２５ｂを並設した接地用帯状体１２とを巻回してコイル部２を作製して、フィルタ素子１０を製造する。以下、同様にして、フィルタ素子１のキャパシタンスに合わせて接地用導電体２４ａ，２５ｂの長さを規定して、フィルタ素子１を製造する。この場合、接地用導電体２４ａ，２５ｂの長さを接地用導電体２４ｂ，２５ａよりも短くなるように規定することで、接地用導電体２４ａ，２５ｂを除く他の構成要素をそのまま共通で用いて複数種類のフィルタ素子１を製造することが可能なため、各フィルタ素子１を低コストで製造することが可能となる。
【００２８】
このように、このフィルタ素子１によれば、接地用導電体２４ａの長さを接地用導電体２４ｂよりも巻初め側において短くなるように形成すると共に、接地用導電体２５ｂの長さを接地用導電体２５ａよりも巻初め側において短くなるように形成して接地用帯状体１２を構成したことにより、例えば、インダクタンスが同じでキャパシタンスだけが互いに異なる複数種類のフィルタ素子１を製造する際に、各フィルタ素子１におけるキャパシタンスに合わせて、接地用導電体２４ａ，２５ｂの長さを接地用導電体２４ｂ，２５ａの長さよりも短くなるように規定することで、接地用導電体２４ａ，２５ｂを除く他の構成要素をそのまま共通で用いて各フィルタ素子１を製造することができる。したがって、このフィルタ素子１によれば、接地用導電体２４ａ，２５ｂを除く他の構成要素を共通化できる分、製造コストを十分に低減することができる。
【００２９】
次に、フィルタ素子１Ａについて説明する。なお、上記したフィルタ素子１と同じ構成要素については、同一の符号を付して、重複する説明を省略する。フィルタ素子１Ａは、図５に示すように、コイル部２Ａと、コイル部２Ａの空隙Ｈ内に装着された磁性コア３とを備え、分布定数型の５端子型ノイズフィルタ（低域通過型のコモンモードフィルタ）に構成されている。
【００３０】
コイル部２Ａは、図５に示すように、信号用帯状体１１および接地用帯状体１３を備えて構成されている。また、コイル部２Ａは、一例として、同図に示すように、接地用帯状体１３の上に信号用帯状体１１を重ね合わせると共に両帯状体１１，１３の一端部（図６おける左端部）を揃えた状態で、両帯状体１１，１３の他端部側（同図おける右端部側）を巻き始めとして巻回することにより、中心部に空隙Ｈを有する全体として筒状（円筒状）に形成されている。なお、以下の説明において、両帯状体１１，１３を巻回する際に巻き始めとなる両帯状体１１，１３および両帯状体１１，１３の各構成要素の他端部側（図６における右端部側）を「巻初め側」ともいう。また、両帯状体１１，１３を巻回する際に巻き終わりとなる両帯状体１１，１３および両帯状体１１，１３の各構成要素の一端部側（図６における左端部側）を「巻終わり側」ともいう。
【００３１】
接地用帯状体１３は、図６に示すように、絶縁体２１ｃ、ｎ本（この場合、２本）の接地用導電体５４ａ，５４ｂ（以下、区別しないときは「接地用導電体５４」ともいう）、およびｎ本の接地用導電体５５ａ，５５ｂ（以下、区別しないときは「接地用導電体５５」ともいう）を備えて構成されている。絶縁体２１ｃは、誘電性および電気的絶縁性を有する材料によって形成されている。この場合、絶縁体２１ｃは、一例として、上記した信号用帯状体１１の絶縁体２１ａと同じ幅で、かつ絶縁体２１ａよりも短い長さに構成されている。つまり、接地用帯状体１３は、上記したように、その一端部と信号用帯状体１１の一端部とを揃えた状態で信号用帯状体１１と共に筒状に巻回した（コイル部２Ａを構成した）状態の巻始め側において、信号用帯状体１１よりも短くなるように形成されている。
【００３２】
接地用導電体５４ａ，５４ｂは、本発明における第１接地用導電体に相当し、一例として、信号用帯状体１１と接地用帯状体１３とを重ね合わせたときに、信号用導電体２２ａ，２２ｂにそれぞれ対向するようにして、絶縁体２１ｃの幅方向に沿った一方（両図における上側）の半領域Ｃ１において、絶縁体２１ｃの幅方向で互いに離間させた状態で並設されている。また、図６に示すように、接地用導電体５４ａ，５４ｂのうちの一つ（例えば、接地用導電体５４ｂ）における巻終わり側（同図における左端部側）に位置する所定部位には、接地用引出線３５ａが接続され、この接地用引出線３５ａには、本発明における第１接地線に相当する接地線３６ａが接続される。また、接地線３６ａが接続される接地用導電体５４（この場合、接地用導電体５４ｂ）を除く他のすべての接地用導電体５４（この場合、接地用導電体５４ａ）における巻終わり側に位置する所定部位（本発明における各々の所定部位の一例）には、接地用引出線３５ｃが接続される。さらに、接地線３６ａが接続される接地用導電体５４（この場合、接地用導電体５４ｂ）を含む（ｎ−１）本（この場合、ｎ＝２のため１本）の接地用導電体５４（つまり接地用導電体５４ａ）における巻初め側（同図における右端部側）に位置する所定部位（本発明における各々の所定部位の一例）には、接地用引出線３５ｂが接続され、この接地用引出線３５ｂと接地用引出線３５ｃとが接続線３４ｃによって一対一で接続される。
【００３３】
接地用導電体５５ａ，５５ｂは、本発明における第２接地用導電体に相当し、一例として、信号用帯状体１１と接地用帯状体１３とを重ね合わせたときに、信号用帯状体１１の信号用導電体２３ａ，２３ｂにそれぞれ対向するようにして、絶縁体２１ｃの幅方向に沿った他方（両図における下側）の半領域Ｃ２において、絶縁体２１ｃの幅方向で互いに離間させた状態で並設されている。また、図６に示すように、接地用導電体５５ａ，５５ｂのうちの一つ（例えば、接地用導電体５５ａ）における巻終わり側（同図における左端端）に位置する所定部位には、接地用引出線３５ｄが接続され、この接地用引出線３５ｄには、本発明における第２接地線に相当する接地線３６ｂが接続される。また、接地線３６ｂが接続される接地用導電体５５（この場合、接地用導電体５５ａ）を除く他のすべての接地用導電体５５（この場合、接地用導電体５５ｂ）における巻終わり側に位置する所定部位（本発明における各々の所定部位の一例）には、接地用引出線３５ｆが接続される。さらに、接地線３６ｂが接続される接地用導電体５５（この場合、接地用導電体５５ａ）を含む（ｎ−１）本（この場合、ｎ＝２のため１本）の接地用導電体５５（つまり接地用導電体５５ａ）における巻初め側に位置する所定部位（本発明における各々の所定部位の一例）には、接地用引出線３５ｅが接続され、この接地用引出線３５ｅと接地用引出線３５ｆとが接続線３４ｄによって一対一で接続される。
【００３４】
コイル部２Ａは、以上の構成により、上記のコイル部２と同様にして、信号用導電体２２ｂ，２２ａが直列に接続されると共に、信号用導電体２３ａ，２３ｂが直列に接続される状態となっている。また、接地用導電体５４ａ，５４ｂが、接地用引出線３５ｂ、接続線３４ｃおよび接地用引出線３５ｃを介して直列に接続されるされると共に、接地用導電体５５ａ，５５ｂが、接地用引出線３５ｅ、接続線３４ｄおよび接地用引出線３５ｆを介して直列に接続される状態となっている。このため、このフィルタ素子１Ａでは、フィルタ素子１と同様にして、入力線と出力線との間に信号用導電体を一つずつ配設した構成と比較して、直径を同等に維持しつつ、信号用導電体２２のインダクタンスを４倍に増加させることが可能なため、大径化（大型化）を回避しつつ、優れたノイズ減衰特性を有するコモンモードフィルタとしてのフィルタ素子１Ａを実現することが可能となっている。  
【００３５】
一方、このフィルタ素子１Ａでは、例えば、インダクタンスが同じでキャパシタンスだけが互いに異なる複数種類のフィルタ素子１Ａを低コストで製造することが可能となっている。具体的には、各フィルタ素子１Ａのうちの、キャパシタンスのうちの最も大きなフィルタ素子（以下、このフィルタ素子を「フィルタ素子１０Ａ」ともいう）を製造する際には、インダクタンスの値に合わせて信号用帯状体１１の長さ、つまり信号用導電体２２ａ，２２ｂ，２３ａ，２３ｂの長さを規定すると共に、フィルタ素子１０Ａのキャパシタンスに合わせて接地用導電体５４ａ，５４ｂ，５５ａ，５５ｂの長さ、つまり接地用帯状体１３の長さを規定する。次いで、この信号用帯状体１１と接地用帯状体１３とを巻回してコイル部２Ａを作製して、フィルタ素子１０Ａを製造する。続いて、フィルタ素子１０Ａよりもキャパシタンスの小さなフィルタ素子１Ａを製造する際には、そのキャパシタンスに合わせて接地用帯状体１３（接地用導電体５４ａ，５４ｂ，５５ａ，５５ｂ）の長さを信号用帯状体１１よりも短くなるように規定する。次いで、フィルタ素子１０Ａに用いた信号用帯状体１１と、この接地用帯状体１３とを巻回してコイル部２Ａを作製して、フィルタ素子１０Ａを製造する。以下、同様にして、フィルタ素子１Ａのキャパシタンスに合わせて接地用帯状体１３の長さを信号用帯状体１１よりも短くなるように規定して、フィルタ素子１Ａを製造する。この場合、接地用帯状体１３の長さを信号用帯状体１１よりも短くなるように規定することで、信号用帯状体１１をそのまま共通で用いて複数種類のフィルタ素子１Ａを製造することが可能なため、各フィルタ素子１Ａを低コストで製造することが可能となる。
【００３６】
なお、発明者は、フィルタ素子１Ａの特性を検証するため、次のような実験を行った。この実験では、まず、実験対象としてのフィルタ素子１Ａを作製した。この場合、コイル部２Ａを作製する際の信号用帯状体１１のターン数（巻数）が３８ターンとなるように信号用帯状体１１の長さを規定すると共に、接地用帯状体１３のターン数が１８ターンとなるように接地用帯状体１３の長さを規定した。つまり、両帯状体１１，１３のターン数が合計で５６ターンとなるようにフィルタ素子１Ａにおける両帯状体１１，１３の長さを規定した。次に、比較用のフィルタ素子（以下、このフィルタ素子を「フィルタ素子２０１」ともいう）を作製した。この場合、コイル部２Ａを作製する際の信号用帯状体１１のターン数、および接地用帯状体１３のターン数がそれぞれ２８ターンとなるように（両者が同じ長さとなるように）信号用帯状体１１および接地用帯状体１３の長さを規定した。つまり、両帯状体１１，１３のターン数の合計が、フィルタ素子１Ａにおける両帯状体１１，１３のターン数の合計と同じ５６ターンとなるようにフィルタ素子２０１における両帯状体１１，１３の長さを規定した。次いで、実験対象のフィルタ素子１Ａおよび比較対象のフィルタ素子２０１に検査信号（ノイズ）を通過させて、検査信号の周波数毎のノイズ減衰量を測定した。この結果、図７に示すように、このフィルタ素子１Ａでは、フィルタ素子２０１と比較して、３００ｋＨｚ〜２０ＭＨｚの低周波数帯域において、特に優れたノイズ減衰特性を有することが明らかである。
【００３７】
このように、このフィルタ素子１Ａによれば、信号用帯状体１１と接地用帯状体１３とを巻回して筒状に形成した状態における巻始め側において、信号用帯状体１１よりも短くなるように接地用帯状体１３を形成したことにより、例えば、インダクタンスが同じでキャパシタンスだけが互いに異なる複数種類のフィルタ素子１Ａを製造する際に、各フィルタ素子１Ａにおけるキャパシタンスに合わせて、接地用帯状体１３の長さを信号用帯状体１１の長さよりも短くなるように規定することで、信号用帯状体１１をそのまま共通で用いて各フィルタ素子１Ａを製造することができる。したがって、このフィルタ素子１Ａによれば、信号用帯状体１１を共通化できる分、製造コストを十分に低減することができる。また、このフィルタ素子１Ａによれば、信号用帯状体１１および接地用帯状体１３の合計のターン数を変更することなく、つまり、大径化（大型化）を回避しつつ、低周波数帯域において特に優れたノイズ減衰特性を実現することができる。
【００３８】
なお、本発明は、上記の構成に限定されない。例えば、コモンモードフィルタとしてのフィルタ素子１，１Ａを例に挙げて説明したが、図８，９にそれぞれ示すノーマルモードフィルタとしてのフィルタ素子１０１，１０１Ａに本発明を適用することもできる。なお、以下の説明において、上記したフィルタ素子１，１Ａと同じ構成要素については、同一の符号を付して重複する説明を省略する。
【００３９】
フィルタ素子１０１は、接地用帯状体１１２の上に信号用帯状体１１１を重ね合わせた状態で両帯状体１１１，１１２の一端側（例えば、図８における右端部側）を巻き始めとして巻回することにより、全体として筒状（円筒状）に形成されたコイル部と、コイル部の空隙内に装着された磁性コアとを備えて構成されている。この場合、信号用帯状体１１１は、同図に示すように、絶縁体２１ａと、絶縁体２１ａの幅方向で互いに離間させた状態で並設されたｎ（一例としてｎ＝２）本の信号用導電体２２ａ，２２ｂとを備えて、一例として、フィルタ素子１における信号用帯状体１１の半領域（図４における例えば上側半分の領域）と同等に構成されている。また、接地用帯状体１１２は、絶縁体２１ｂと、絶縁体２１ｂの幅方向で互いに離間させた状態で並設されたｎ本の接地用導電体２４ａ，２４ｂとを備えて、一例として、フィルタ素子１における接地用帯状体１２の半領域（図４における例えば上側半分の領域）と同等に構成されている。
【００４０】
このフィルタ素子１０１によれば、両帯状体１１１，１１２を巻回する際に巻き始めとなる巻初め側（図８における右端部側）において接地用導電体２４ａの長さを接地用導電体２４ｂよりも短くなるように形成して接地用帯状体１１２を構成したことにより、例えば、インダクタンスが同じでキャパシタンスだけが互いに異なる複数種類のフィルタ素子１を製造する際に、各フィルタ素子１０１におけるキャパシタンスに合わせて、接地用導電体２４ａの長さを接地用導電体２４ｂの長さよりも短くなるように規定することで、接地用導電体２４ａを除く他の構成要素をそのまま共通で用いて各フィルタ素子１０１を製造することができる。したがって、このフィルタ素子１０１においても、接地用導電体２４ａを除く他の構成要素を共通化できる分、製造コストを十分に低減することができる。
【００４１】
一方、フィルタ素子１０１Ａは、接地用帯状体１１３の上に上記した信号用帯状体１１１を重ね合わせると共に両帯状体１１１，１１３の一端部（図９おける左端部）を揃えた状態で、両帯状体１１１，１１３の他端部側（同図おける右端部側）を巻き始めとして巻回することにより、全体として筒状（円筒状）に形成されたコイル部と、コイル部の空隙内に装着された磁性コアとを備えて構成されている。この場合、接地用帯状体１１３は、絶縁体２１ｃと、絶縁体２１ｃの幅方向で互いに離間させた状態で並設されたｎ本（２本）の接地用導電体５４ａ，５４ｂとを備えて、一例として、フィルタ素子１Ａにおける接地用帯状体１３の半領域（図６における例えば上側半分の領域）と同等に構成されている。つまり、接地用帯状体１１３は、その一端部と信号用帯状体１１１の一端部とを揃えた状態で信号用帯状体１１１と共に筒状に巻回した状態の巻始め側において、信号用帯状体１１１よりも短くなるように形成されている。
【００４２】
このフィルタ素子１０１Ａによれば、信号用帯状体１１１と接地用帯状体１１３とを筒状に巻回した状態における巻始め側において、信号用帯状体１１１よりも短くなるように接地用帯状体１１３を形成したことにより、例えば、インダクタンスが同じでキャパシタンスだけが互いに異なる複数種類のフィルタ素子１０１Ａを製造する際に、各フィルタ素子１０１Ａにおけるキャパシタンスに合わせて、接地用帯状体１１３の長さを信号用帯状体１１１の長さよりも短くなるように規定することで、信号用帯状体１１１をそのまま共通で用いて各フィルタ素子１０１Ａを製造することができる。したがって、このフィルタ素子１０１Ａにおいても、信号用帯状体１１１を共通化できる分、製造コストを十分に低減することができる。
【００４３】
また、柱状（円柱状）の磁性コア３を備えた例について上記したが、磁性コア３に代えて、いわゆるポットコアやＥＩ型コア（またはＥＥ型コア）を用いることもできる。また、信号用導電体２２，２３および接地用導電体２４，２５をそれぞれ２本備えた例について上記したが、これらの数は２本に限定されず任意の複数に規定することができる。
【図面の簡単な説明】
【００４４】
【図１】フィルタ素子１の構成を示す斜視図である。
【図２】フィルタ素子１（１Ａ）を一方の端面から見た平面図である。
【図３】フィルタ素子１の構成を示すために、信号用帯状体１１および接地用帯状体１２の巻終わり側を巻き解いた状態のフィルタ素子１の斜視図である。
【図４】信号用帯状体１１および接地用帯状体１２の構成を示す斜視図である。
【図５】フィルタ素子１Ａの構成を示すために、信号用帯状体１１および接地用帯状体１３の巻終わり側を巻き解いた状態のフィルタ素子１Ａの斜視図である。
【図６】信号用帯状体１１および接地用帯状体１３の構成を示す斜視図である。
【図７】フィルタ素子１Ａおよびフィルタ素子２０１のノイズ減衰特性を示すノイズ減衰特性図である。
【図８】信号用帯状体１１１および接地用帯状体１１２の構成を示す斜視図である。
【図９】信号用帯状体１１１および接地用帯状体１１３の構成を示す斜視図である。
【符号の説明】
【００４５】
１，１Ａ，１０１，１０１Ａ  フィルタ素子
２，２Ａ  コイル部
１１，１１１  信号用帯状体
１２，１３，１１２，１１３  接地用帯状体
２１ａ，２１ｂ，２１ｃ  絶縁体
２２ａ，２２ｂ，２３ａ，２３ｂ  信号用導電体
２４ａ，２４ｂ，２５ａ，２５ｂ，５４ａ，５４ｂ，５５ａ，５５ｂ  接地用導電体
３２ａ，３２ｂ  入力線
３３ａ，３３ｂ  出力線
３４ａ，３４ｂ，３４ｃ，３４ｄ  接続線
３６ａ，３６ｂ  接地線
Ａ１，Ａ２，Ｂ１，Ｂ２，Ｃ１，Ｃ２  半領域
【図１】
2007104477.tif 000003
【図２】
2007104477.tif 000004
【図３】
2007104477.tif 000005
【図４】
2007104477.tif 000006
【図５】
2007104477.tif 000007
【図６】
2007104477.tif 000008
【図７】
2007104477.tif 000009
【図８】
2007104477.tif 000010
【図９】
2007104477.tif 000011